(57)【要約】【課題】機器全体の消費電力を効率的に削減することができる電源供給システムを提供する。【解決手段】ＬＡＮコントローラ２、物理層デバイス３を含むネットワークデバイスと、ネットワーク上に流れる信号の電圧変化を検出してネットワークデバイスへの電源供給の有無を監視する電圧監視部４と、パケットを検出して電圧監視部４に伝えＬＡＮコントローラ２に対して電源を供給するパケット検出部５を備え、パケット検出部５は、パケットの最初の同期信号を検出することによりパケットを検出する電源供給システム。【選択図】      図１
2005018164.tif 000002
【特許請求の範囲】
【請求項１】
ＬＡＮコントローラ、物理層デバイスを含むネットワークデバイスと、ネットワーク上に流れる信号の電圧変化を検出して前記ネットワークデバイスへの電源供給の有無を監視する電圧監視部と、パケットを検出して前記電圧監視部に伝え前記ＬＡＮコントローラに対して電源を供給するパケット検出部を備え、前記パケット検出部は、パケットの最初の同期信号を検出することによりパケットを検出することを特徴とする電源供給システム。
【請求項２】
ＬＡＮコントローラ、物理層デバイスを含むネットワークデバイスと、ネットワーク上に流れる信号の電圧変化を検出して前記ネットワークデバイスへの電源供給の有無を監視する電圧監視部と、パケットを検出して電圧監視部に伝え前記ＬＡＮコントローラに対して電源を供給するパケット検出部を備え、前記電圧監視部は、リンク信号のみを検出している場合は、前記物理層デバイスにのみ電源を供給することを特徴とする電源供給システム。
【請求項３】
ＬＡＮコントローラ、物理層デバイスを含むネットワークデバイスと、ネットワーク上に流れる信号の電圧変化を検出して前記ネットワークデバイスへの電源供給の有無を監視する電圧監視部と、パケットを検出して前記電圧監視部に伝えＬＡＮコントローラに対して電源を供給するパケット検出部を備え、既にリンク信号検出により前記物理層デバイスに電源供給されており、前記パケット検出部が同期信号を検出し、且つデータが送信されてくると判断されると、前記ＬＡＮコントローラに電源が供給されることを特徴とする電源供給システム。
【請求項４】
請求項３記載の電源供給システムにおいて、パケット受信が終了し、パケット送信が無いと判断すると、前記ＬＡＮコントローラへの電源供給を遮断することを特徴とする電源供給システム。
【請求項５】
ＬＡＮコントローラ、物理層デバイスを含むネットワークデバイスと、ネットワーク上に流れる信号の電圧変化を検出して前記ネットワークデバイスへの電源供給の有無を監視する電圧監視部と、パケットを検出して前記電圧監視部に伝えＬＡＮコントローラに対して電源を供給するパケット検出部を備え、前記電圧監視部が、リンク信号をある一定期間検出できないと、ネットワークケーブルが抜かれたと判断して前記物理層デバイスへの電源供給を遮断することを特徴とする電源供給システム。
【発明の詳細な説明】
【０００１】
【発明の属する技術分野】
本発明は、ネットワークを利用した電源供給システムに関するものである。
【０００２】
【従来の技術】
ネットワークを利用した電源供給システムに関連して、例えば、特許文献１及び２記載の技術が知られている。
【特許文献１】特開２０００−２５９２９２公報
【特許文献２】特開平５−０１４３５９号公報
【０００３】
【発明が解決しようとする課題】
ネットワーク機能を実装した機器で省エネを実現しようとする場合、問題となるのはネットワーク機能を構成する各デバイスの消費電力であると考えられる。しかも物理層デバイス（ＰＨＹ）やＬＡＮコントローラの消費電力は多大であり、システム全体の省エネに対してネックとなる。またネットワーク接続していない場合でも、機器に電源が入っていると上記のネットワーク関連デバイスに対しても電源供給されることになる。現在、プリンタや複写機、パーソナルコンピュータ等のＯＡ機器には様々な省エネ機能が盛り込まれているが、ネットワークに関しては何時でも通信できるように常に電源供給しなければならない状態にある。
本発明は、機器全体の消費電力を効率的に削減することができる電源供給システムを提供することを目的とる。
【０００４】
【課題を解決するための手段】
上記目的を達成するために、請求項１記載の発明は、ＬＡＮコントローラ、物理層デバイスを含むネットワークデバイスと、ネットワーク上に流れる信号の電圧変化を検出してネットワークデバイスへの電源供給の有無を監視する電圧監視部と、パケットを検出して電圧監視部に伝えＬＡＮコントローラに対して電源を供給するパケット検出部を備え、パケット検出部は、パケットの最初の同期信号を検出することによりパケットを検出する電源供給システムを最も主要な特徴とする。
請求項２記載の発明は、ＬＡＮコントローラ、物理層デバイスを含むネットワークデバイスと、ネットワーク上に流れる信号の電圧変化を検出してネットワークデバイスへの電源供給の有無を監視する電圧監視部と、パケットを検出して電圧監視部に伝えＬＡＮコントローラに対して電源を供給するパケット検出部を備え、電圧監視部は、リンク信号のみを検出している場合は、物理層デバイスにのみ電源を供給する電源供給システムを最も主要な特徴とする。
請求項３記載の発明は、ＬＡＮコントローラ、物理層デバイスを含むネットワークデバイスと、ネットワーク上に流れる信号の電圧変化を検出してネットワークデバイスへの電源供給の有無を監視する電圧監視部と、パケットを検出して電圧監視部に伝えＬＡＮコントローラに対して電源を供給するパケット検出部を備え、既にリンク信号検出により物理層デバイスに電源供給されており、パケット検出部が同期信号を検出し、データが送信されてくると判断されると、ＬＡＮコントローラに電源が供給される電源供給システムを最も主要な特徴とする。
【０００５】
請求項４記載の発明は、請求項３記載の電源供給システムにおいて、パケット受信が終了し、パケット送信が無いと判断すると、ＬＡＮコントローラへの電源供給を遮断する電源供給システムを主要な特徴とする。
請求項５記載の発明は、ＬＡＮコントローラ、物理層デバイスを含むネットワークデバイスと、ネットワーク上に流れる信号の電圧変化を検出してネットワークデバイスへの電源供給の有無を監視する電圧監視部と、パケットを検出して電圧監視部に伝えＬＡＮコントローラに対して電源を供給するパケット検出部を備え、電圧監視部が、リンク信号をある一定期間検出できないと、ネットワークケーブルが抜かれたと判断して物理層デバイスへの電源供給を遮断する電源供給システムを最も主要な特徴とする。
本発明では、機器どうしがネットワーク接続されていない場合に、ネットワーク機能を働かなくし、ネットワーク通信するときだけネットワーク機能を復帰させ、またリンクパルス等のリンク信号のみがネットワーク上を流れている時はＰＨＹにのみ電源供給し、ＬＡＮコントローラへの電源供給を遮断することにより、機器全体の消費電力を効率的に削減する。
【０００６】
【発明の実施の形態】
以下、図面により本発明の実施の形態を詳細に説明する。
図１は本発明の実施の形態に係る電源供給システムの構成図である。本電源供給システムにおいて、ＣＰＵ１はシステム全体の制御を司り、ＬＡＮコントローラ２はネットワークからの送受信データの処理動作、物理層デバイス（ＰＨＹ）３はネットワークデータのパラレル／シリアル変換を行う部分である。
電圧監視部４はネットワーク上に流れる信号の電圧変化を検出して電源供給の有無を監視する部分であり、パケット検出部５はパケットの同期信号（Ｐｒｅａｍｂｌｅ信号）を検出して、その結果を電圧監視部４に伝え、ＬＡＮコントローラ２への電源のオン／オフを行う部分である。符号６はＤＣ電源、７はトランス、８はＬＡＮコネクタ、９はケーブルを示す。
図２はパケットデータの内容の一例を示す図である。最初にＰｒｅａｍｂｌｅ信号があり、物理層デバイス３側はこの信号で同期を取る。次に送信元アドレス、送信先アドレス、データの長さを示すＬｅｎｇｔｈが続く。次に送信データが送られ、ＦｒａｍｅＣｈｅｃｋビットが続く。パケット検出部５はこの中のＰｒｅａｍｂｌｅ信号のパターンを検出して、パケットの有無を確認する。
図３はネットワーク上のデータの流れの一例を示す図である。この例では１０Ｂａｓｅ−ＴのＬｉｎｋパルスと、パケットが送られて来た場合の電源供給有無を示している。Ｌｉｎｋ信号のみ送信されている場合は、物理層デバイス３にのみ電源供給されており、ＬＡＮコントローラ２には電源供給されない。パケット信号が検出されるまでは物理層デバイス３にのみ電源供給されており、検出されるとＬＡＮコントローラ２に電源供給される。
パケットデータの送信が完了し、Ｌｉｎｋパルスのみ送信されるようになると、ＬＡＮコントローラ２への電源は遮断され、物理層デバイス３にのみ電源供給される。また電圧監視部４により、Ｌｉｎｋパルスも検出できなくなると、ＬＡＮケーブル９が抜かれたと判断され、物理層デバイス３への電源供給もストップされる。
【０００７】
図４は本発明の電源供給システムにおける制御動作のフロー図である。機器の電源がオンされると、システム全体に電源供給される。そしてネットワーク上でデータ送受信動作の要求があるかどうか判断し（Ｓ１、Ｓ２）、もし要求が無ければ（Ｓ２でＮ）Ｌｉｎｋの確認を行う（Ｓ３）前にＬＡＮコントローラ２、物理層デバイス３への電源供給を遮断する。送受信動作の要求があると（Ｓ２でＹ）、そのままデータ送受信動作を実施する（Ｓ４）。
Ｌｉｎｋパルスが受信されているとＬｉｎｋ確立とみなし（Ｓ５でＹ）、物理層デバイス３に電源供給を行う（Ｓ６）。もしＬｉｎｋパルスが受信されていないとケーブル９が接続されていないと判断し（Ｓ５でＮ）、物理層デバイス３への電源供給を遮断する（Ｓ７）。その場合、Ｌｉｎｋ確立の確認を繰り返すことになる。Ｌｉｎｋが確立され、物理層デバイス３への電源供給が行われると、次にパケット確認を行う（Ｓ８）。
Ｐｒｅａｍｂｌｅ信号を検出し、パケットを確認すると（Ｓ９でＹ）ＬＡＮコントローラ２に電源供給を行い（Ｓ１０）、ネットワークデータの送受信動作を実施する。パケット受信を確認できないと判断されると（Ｓ９でＮ）、ＬＡＮコントローラ２への電源を遮断したままにしておき（Ｓ１１）、Ｌｉｎｋの確認を継続する（Ｓ３）。
【０００８】
【発明の効果】
以上説明したように、請求項１によれば、ネットワークから送られてくるパケットを検出するパケット検出部は、パケットの最初の同期信号（プリアンブル信号）を検出することによりパケットを検出するので、データ送信されてきたかどうかを判断することができる。
請求項２によれば、電圧監視部が、リンクパルス等のリンク信号のみを検出している場合は、物理層デバイスにのみ電源を供給することにより、動作に関係ないデバイスへの電源供給を遮断でき、消費電流削減に寄与する。
請求項３によれば、既にリンク信号検出により物理層デバイスに電源供給されており、パケット検出部が同期信号（プリアンブル信号）を検出し、データが送信されてくると判断されると、ＬＡＮコントローラに電源が供給されることにより、データが送信されてきて初めて電源供給されるので、それまでの待機状態電流を削減することができる。
請求項４によれば、請求項３記載のパケット受信が終了し、パケット送信が無いと判断すると、ＬＡＮコントローラへの電源供給を遮断することにより、動作に関係ないデバイスへの電源供給を遮断でき、消費電流削減に寄与する。
請求項５によれば、電圧監視部が、リンク信号をある一定期間検出できないと、ネットワークケーブルが抜かれたと判断して物理層デバイスへの電源供給を遮断することにより、更なる消費電流削減が可能となる。
【図面の簡単な説明】
【図１】本発明の実施の形態に係る電源供給システムの構成図である。
【図２】パケットデータの内容の一例を示す図である。
【図３】ネットワーク上のデータの流れの一例を示す図である。
【図４】本発明の電源供給システムにおける制御動作のフロー図である。
【符号の説明】
２  ＬＡＮコントローラ、３  物理層デバイス、４  電圧監視部、５  パケット検出部、６  ＤＣ電源、９  ケーブル
【図１】
2005018164.tif 000003
【図２】
2005018164.tif 000004
【図３】
2005018164.tif 000005
【図４】
2005018164.tif 000006